(57)【特許請求の範囲】
【請求項１】
車両が前進するときのタイヤ回転方向が指定されていて、トレッド面にタイヤ周方向に延びる少なくとも３本の周方向溝を備えた空気入りタイヤであって、
（Ａ）
タイヤを車両に装着した状態で最も内側に位置する１組（２本）の周方向溝間に位置するリブ山は、横方向溝でブロック区画されることなく、表面に溝底にサイプを備えたサイプ付き浅溝が複数個、タイヤ周方向に間隔をあけて形成されており、個々の前記サイプ付き浅溝は前記１組の周方向溝に接続するように設けられており、前記タイヤ周方向に隣接する１組の前記サイプ付き浅溝間には波状サイプ又は直線状サイプが形成されており、
（Ｂ）
他の周方向溝間領域の少なくとも１つにおいて、当該周方向溝と横方向溝とで周囲から分断された複数のブロックが周方向に並んでおり、
当該複数のブロックの全てが、溝底にサイプを備えた１本または複数本のサイプ付き浅溝によって表面が区分けされてなる複合ブロックである、空気入りタイヤ。
【請求項２】
上記他の周方向溝間領域の全てにおいて、当該周方向溝と横方向溝とで周囲から分断された複数のブロックが周方向に並んでおり、
当該複数のブロックの全てが、溝底にサイプを備えた１本または複数本のサイプ付き浅溝によって表面が区分けされてなる複合ブロックである、請求項１記載の空気入りタイヤ。
【請求項３】
上記横方向溝の深さは、周方向溝の深さの０．８５〜１．０倍であり、
上記浅溝の深さは、周方向溝の深さの０．４〜０．６倍であり、
上記サイプの深さは、２ｍｍ以下である、請求項１または２記載の空気入りタイヤ。
【請求項４】
上記横方向溝の幅寸法は、２．５〜８ｍｍであり、
上記浅溝の幅寸法は、横方向溝の幅寸法以下であり、
上記サイプの幅寸法は、０．８〜１．５ｍｍである、請求項１または２記載の空気入りタイヤ。
【発明の詳細な説明】
【技術分野】
【０００１】
本発明は、ドライ路面およびスノー路面の両方において運動性能を高めた空気入りタイヤに関する。
【背景技術】
【０００２】
ドライ路面（降雨や積雪の無い路面）およびスノー路面（雪道）における運動性能（加速、制動、旋回、その他）を高めることを目的として、これまで種々のトレッドパターンを備えたタイヤが提案されている。
【０００３】
例えば、特許文献１に開示されたタイヤのトレッド面では、隣接する２本の周方向溝間に形成されるリブ山に対して、溝底に凹部（サイプ）を設けた浅溝を所定間隔で形成し、接地面積を小さくすることで、ロードノイズを低減している。
また、特許文献２では、ショルダ域において、ラグ溝の底にサイプを設けている。溝底に配置したサイプは、長期間の使用によっても消え難いので、サイプによる雪上性能を長期間に渡って継続することが可能となる。
【先行技術文献】
【特許文献】
【０００４】
【特許文献１】特許第５５２８２０８号公報
【特許文献２】特許第４７１８２９４号公報
【発明の概要】
【発明が解決しようとする課題】
【０００５】
本発明は、これまで提案された先行技術とは別のアプローチによって、ドライ路面およびスノー路面の両方におけるタイヤの運動性能を高めることを目的とする。
【課題を解決するための手段】
【０００６】
本発明は、上記課題を有効に解決するために創案されたものであり、以下の特徴を備えたタイヤを提供する。すなわち、本発明のタイヤは、車両が前進するときのタイヤ回転方向が指定されていて、トレッド面にタイヤ周方向に延びる少なくとも３本の周方向溝を備えた空気入りタイヤであって、次の（Ａ）および（Ｂ）の構成を有することを特徴としている。
構成（Ａ）
タイヤを車両に装着した状態で最も内側に位置する１組（２本）の周方向溝間に位置するリブ山は、横方向溝でブロック区画されることなく、表面にサイプまたは溝底にサイプを備えたサイプ付き浅溝が複数個、タイヤ周方向に間隔をあけて形成されている。個々の前記サイプ付き浅溝は前記１組の周方向溝に接続するように設けられており、前記タイヤ周方向に隣接する１組の前記サイプ付き浅溝間には波状サイプ又は直線状サイプが形成されている。
ここで、「横方向溝」は、「周方向溝」と交わる方向に延在し、その深さが「周方向溝」の深さのほぼ０．８５〜１．０倍のものを意味する。
構成（Ｂ）
他の周方向溝間領域の少なくとも１つにおいて、当該周方向溝と横方向溝とで周囲から分断された複数のブロックが周方向に並んでいる。そして、当該複数のブロックの全てが、溝底にサイプを備えた１本または複数本のサイプ付き浅溝によって表面が区分けされてなる複合ブロックである。
【０００７】
ここで、「複合ブロック」とは、以下の条件（１）および（２）の両方を満たすブロックを意味する。
（１）「複合ブロック」は、「周方向溝」および「横方向溝」によって周囲から分断されている。「横方向溝」は、「周方向溝」と交わる方向に延在し、その深さが「周方向溝」の深さのほぼ０．８５〜１．０倍のものを意味する。
（２）「複合ブロック」は、その表面に１本または複数本の「サイプ付き浅溝」を備えている。当該「サイプ付き浅溝」によって、「複合ブロック」は、その表面が複数のサブ領域に区分けされている。
ここで「浅溝」とは、その深さが「周方向溝」の深さのほぼ０．４〜０．６倍のものを意味する。「サイプ」とは、タイヤの分野で一般的に使用される用語であって、「周方向溝」、「横方向溝」、「浅溝」よりも細いスリット状の切込みを言い、一般的には、幅が０．８〜１．５ｍｍ程度、深さが２ｍｍ以下程度である。
【発明の効果】
【０００８】
上記構成を備えた本発明のタイヤによれば、次のような効果が得られる。
（Ａ）
まず、２つの周方向溝で挟まれる領域のうち、タイヤを車両に装着した状態で最も内側に位置する１組（２本）の周方向溝間の領域（この領域では、キャンバー角を考慮したときにタイヤ周方向の接地長が最も長くなる）に、横方向溝でブロック区画されることなく、表面に溝底にサイプを備えたサイプ付き浅溝を備えたリブ山が配置されている。
このようなリブ山は、全体の剛性が高く、しかも表面に設けたサイプ付き浅溝によって、グリップ力を高めることができる。つまり、接地長の長い領域（IN-ME）領域に、剛性およびグリップ力の高いリブ山を設けることで、ドライ路面における高い運動性および制動性を得ることができる。
（Ｂ）
さらに、上記「複合ブロック」の特性を利用して、ドライ性能の低下を防止しつつ、スノー性能を高めることができる。その原理は、実施形態においても説明するが、簡単に言うと次の通りである。
すなわち、「周方向溝」と「横方向溝」で分断された単純な「ブロック」だけでは、タイヤのドライ性能が低下する。そこで、一部の「横方向溝」に代えて「浅溝」を入れることでドライ性能を上げる。ただし、「横方向溝」を「浅溝」に代えた分だけスノー性能が落ちる。この「スノー性能落ち」を緩和するため、「浅溝」の底に「サイプ」を追加している。これによって、スノー性能とドライ性能を高い次元で両立することができる。
【０００９】
本発明では、上記構成（Ｂ）に関して、上記他の周方向溝間領域の全てにおいて、当該周方向溝と横方向溝とで周囲から分断された複数のブロックが周方向に並んでいて、当該複数のブロックの全てが、溝底にサイプを備えた１本または複数本のサイプ付き浅溝によって表面が区分けされてなる複合ブロックであることが好ましい。
当該構成を採用した場合には、複合ブロックの数が増える分だけ、スノー性能およびドライ性能を高めることができる。
【図面の簡単な説明】
【００１０】
【図１】本発明における主要な用語の意味を説明する図。
【図２】実施例１に係るタイヤのトレッドパターンを示す図。
【図３】実施例２に係るタイヤのトレッドパターンを示す図。
【図４】実施例３に係るタイヤのトレッドパターンを示す図。
【図５】比較例１に係るタイヤのトレッドパターンを示す図。
【発明を実施するための形態】
【００１１】
本発明の実施形態を、添付の図面を参照して以下に説明する。まず、図１を参照して、本発明における主要な用語の意味を説明する。各数値およびその大小関係は、単なる例示に過ぎない。
なお、図１中のトレッドパターンは、後述する実施例１のパターンである（図２）。
【００１２】
（ａ）周方向溝
タイヤの全周に、周方向に延びるように構成された溝を言う。隣接する２つの周方向溝の間には、「リブ山」あるいは「リブ山を横方向溝で分断して構成される複数のブロック」が存在する。
なお、図２において、周方向溝Ａ４は、断続的に存在する複数の傾斜した短い溝から構成されている。そのような構成であっても、全体として１本の溝として認識でき、かつ周方向に延在しているものは、本発明における「周方向溝」に該当する。
一般的には、周方向溝は、トレッド面に存在するすべての溝の中で１番深いものであるが、本発明において、必ずしもその必要はない。
【００１３】
（ｂ）横方向溝
タイヤの幅方向に延びていて、周方向溝と「ほぼ同等の深さ」あるいは、やや浅い溝を言う。
本発明では、「周方向溝」および「横方向溝」で囲まれる島状の部分を「ブロック」と呼ぶ。その中でも、「サイプ付き浅溝」が表面に形成されたブロックを「複合ブロック」と呼ぶ（詳しくは後述する）。「周方向溝」および「横方向溝」で周囲から分断された「ブロック」は独立性が高く、隣接する１の「ブロック」と他の「ブロック」はトレッド面上で独立した挙動を示す。
【００１４】
「周方向溝」の深さをＤ０、「横方向溝」の深さをＤ１とすると、次の関係式が成立することが好ましい。  Ｄ１＝Ｄ０×（０．８５〜１．０）
Ｄ１の値をこのように設定することで、十分なスノー性能（すなわち、雪道における加速、制動、旋回等の運動性能）が得られる。Ｄ１がこれよりも浅い場合には、雪柱せん断力が低下してスノー性能が低下する。
【００１５】
（ｃ）浅溝
「横方向溝」よりも浅い溝を言う。
「浅溝」は「ブロック」を分断する程の深さを有しておらず、したがって、浅溝を形成しても、その両側の部位の一体性は、殆ど損なわれない。
【００１６】
「周方向溝」の深さをＤ０、「浅溝」の深さをＤ２とすると、次の関係式が成立することが好ましい。  Ｄ２＝Ｄ０×（０．４〜０．６）
Ｄ２がこれよりも浅いと、雪柱せん断力が低下してスノー性能が低下する。反対に、これよりも深いと、ブロックの一体性（＝剛性）が低下してドライ性能（すなわち、ドライ路面における加速、制動、旋回等の運動性能）が低下する。
【００１７】
「横方向溝」の幅Ｗ１は２．５〜８ｍｍが一般的であるが、それに対して、「浅溝」の幅Ｗ２はＷ１以下であることが好ましい。「浅溝」の幅Ｗ２が「横方向溝」の幅Ｗ１を超えると、トレッド面の剛性が低下するので好ましくない。
【００１８】
（ｄ）サイプ付き浅溝
溝底に「サイプ」が形成された「浅溝」を言う。
「サイプ付き浅溝」も、「浅溝」と同様に、「ブロック」を分断するものではなく、その両側の部位の一体性は、殆ど損なわれない。「サイプ付き浅溝」全体の深さをＤ３とすると、次の関係式が成立することが好ましい。  Ｄ３＝Ｄ０×（０．６〜１．０）
なお、「サイプ」とは、タイヤの分野において一般的に使用される用語であって、「周方向溝」、「横方向溝」、「浅溝」よりも細いスリット状の切込みを言う。「サイプ」の寸法は、一般的には、幅（Ｗ３）０．８〜１．５ｍｍで、深さ２ｍｍ以下程度である。
【００１９】
一般に、「サイプ付き浅溝」は、全深さが同じ溝に比べて、地面からの反力に起因する「倒れ」に強い。したがって、雪柱せん断力の低下を防ぎつつ、剛性の低下も防ぐことができる。
【００２０】
本発明では、「浅溝」のスノー性能を高めるため、当該「浅溝」の溝底に「サイプ」を追加しているが、そのための「サイプ」自体の深さは最低でも０．２ｍｍ以上であることが好ましい。また、「サイプ」の幅が０．８ｍｍよりも小さいと、スノー性能を高める効果が小さく、反対に幅が１．５ｍｍを超えると、トレッド面の剛性低下が大きくなるので、いずれも好ましくない。
【００２１】
＜実施例１＞
図２は、実施例１に係るタイヤのトレッドパターンを示している。図示したトレッドパターンは、タイヤ周方向に沿って一部分のみを切り出したものであり、実際には、図中上下にさらに連続するパターンとなる。図２に示したように、パターンの中央部が実際に地面と接触する接地部（トレッド部）であり、その左右両側がショルダ部となる。
【００２２】
実施例１では、周方向溝が４本（Ａ１〜Ａ４）存在するので、リブ山または複数のブロックからなる列が５列存在することとなる。便宜上、これを車両内側から順に、以下のように名付けて図中に表示している。
IN-SH   ：  （インナーショルダ、最も内側）
IN-ME   ：  （インナーメディエイト）
CE      ：  （センター、中央）
OUT-ME  ：  （アウターメディエイト）
OUT-SH  ：  （アウターショルダ、最も外側）
【００２３】
＜トレッド面の構成＞
実施例１は、次の（イ）、（ロ）の特徴を有する。
（イ）
周方向溝「Ａ１」と「Ａ２」に挟まれる領域（IN-ME。すなわち、タイヤを車両に装着した状態で最も内側に位置する１組（２本）の周方向溝間の領域）において、リブ山１００は、横方向溝でブロック区画されることなく、その表面に「波状サイプ」と「溝底にサイプを備えたサイプ付き浅溝」が形成されている。
（ロ）
周方向溝「Ａ３」と「Ａ４」に挟まれる領域（OUT-ME。すなわち、タイヤを車両に装着した状態で、最も外側に位置する１組（２本）の周方向溝間の領域）において、横方向溝「Ｂ」で分断された複数のブロック１０が周方向に並んでおり、これらのブロック１０の全てが以下に説明する「複合ブロック」として構成している。
【００２４】
＜複合ブロック＞
図２中に、複合ブロック１０を拡大して示している。本発明において「複合ブロック」とは、次のものを意味する。
（１）「複合ブロック」は、「周方向溝」および「横方向溝」によって周囲から分断されている。「横方向溝」は、「周方向溝」と交わる方向に延在し、その深さが「周方向溝」の深さのほぼ０．８５〜１．０倍のものを意味する。
（２）「複合ブロック」は、その表面に１本または複数本の「サイプ付き浅溝」を備えている。当該「サイプ付き浅溝」によって、「複合ブロック」は、その表面が複数のサブ領域に区分けされている。
ここで「浅溝」とは、その深さが「周方向溝」の深さのほぼ０．４〜０．６倍のものを意味する。「サイプ」とは、タイヤの分野で一般的に使用される用語であって、「周方向溝」、「横方向溝」、「浅溝」よりも細いスリット状の切込みを言い、一般的には、幅が０．８〜１．５ｍｍ程度、深さが２ｍｍ以下程度である。
【００２５】
なお、「サイプ付き浅溝」は、既に説明した通り、その両側の領域を独立したブロックに分断するものではない。
【００２６】
上記（１）および（２）両方の条件を満たすブロックを、本発明において「複合ブロック」とする。図示の例では、複合ブロック１０が、その表面に波状サイプをさらに備えている。
実施例１では、周方向溝「Ａ３」と「Ａ４」に挟まれる領域に存在するブロックは、全てが複合ブロック１０である。
【００２７】
＜複合ブロック１０が存在することによる効果＞
（ア）
「ブロック」は周方向溝および横方向溝で周囲から分断された島状の部位を言うが、仮に、単純なブロックだけが複数存在している場合を考えると、各ブロックの独立性が高かく、したがって、トレッド面の剛性は低下する。その結果、ドライ性能（すなわち、ドライ路面における加速、制動、旋回等の運動性能）も低下する。
（イ）
上のようなドライ性能の低下を緩和するために、一部の「横方向溝」を「浅溝」に代えることで、トレッド面の剛性を高めることができる。しかし、一部の「横方向溝」が「浅溝」に代わった分だけ、雪道を走行する場合の雪柱せん断力が低下し、したがってスノー性能（すなわち、雪道における加速、制動、旋回等の運動性能）が低下する。
（ウ）
そこで、本発明では、「ブロック」に「浅溝」を設け、さらに、「浅溝」の溝底に「サイプ」を設けている。すなわち、「ブロック」に「サイプ付き浅溝」を設けている（複合ブロック）。「浅溝」の溝底に「サイプ」が存在することで、サイプが存在しない浅溝の場合に比べて、当該浅溝が大きく開くことが可能となり、雪柱せん断力を高めることができる。すなわち、スノー性能を高めることができる。
【００２８】
以上の（ア）、（イ）、（ウ）を手短に言うと、次の通りである。すなわち、「周方向溝」と「横方向溝」で分断された単純な「ブロック」だけでは、タイヤのドライ性能が低下する。そこで、一部の「横方向溝」に代えて「浅溝」を入れることでドライ性能を上げる。ただし、「横方向溝」を「浅溝」に代えた分だけスノー性能が落ちる。この「スノー性能落ち」を緩和するため、「浅溝」の底に「サイプ」を追加している。これによって、スノー性能とドライ性能を高い次元で両立することができる。
【００２９】
実施例１では、「IN-ME」列に属するリブ山１００は横方向溝でブロック分けされることなく連続的に延在している。また、「OUT-ME」列に属するブロックが全て「複合ブロック１０」で構成されている。
「IN-SH」列および「OUT-SH」列では、各ブロックは、「横方向溝」で単純に分断されていて、表面に波状サイプが形成されている。なお、「CE」列では、「IN-ME」列と同様に、ブロック分けされていないリブ山が連続的に形成されていて、その表面に「波状サイプ」および「サイプ付き浅溝」が形成されている。
【００３０】
本発明では、「IN−ME」列において、そこに属するリブ山を、「横方向溝」で分断されること無く連続的に構成している点に第１の特徴がある。その理由は、次の通りである。
すなわち、一般的に、IN−MEでは、車両にタイヤを装着する際のキャンバー角に起因して、接地長がout側よりも長くなる傾向にある。接地長が長くなるIN−MEでは、剛性の高さを最優先するのが良い。そのため、タイヤ全周に渡って連続的なリブを設ける。あるいは、そのようなリブに対して、「浅溝」または「サイプ付き浅溝」を設けることで（＝深い「横方向溝」は設けないことで）、剛性の高さを確保する。
その結果、第２の特徴として、剛性が若干低いがその分スノー性能を高めることのできる「複合ブロック」は、OUT−ME（またはCE）に設けている。OUT−ME（またはCE）列において、そこに属するブロックの全てが「複合ブロック」とされる。
【００３１】
また、次の理由から、IN-SHおよびOUT-SHには「複合ブロック」を配置しない方が好ましい。
すなわち、ウエット路面でのハイドロプレーニングを防止するには、トレッド面からタイヤ側方（外側）に効率良く水を排出することが必要である。そのため、IN-SHおよびOUT-SHでは、「複合ブロック」を配置するよりも、多くの「横方向溝」を設けて、排水効率を高めることが好ましい。
【００３２】
＜実施例２＞
図３は、実施例２に係るタイヤのトレッドパターンを示している。実施例２は、実施例１に対して、「CE」列および「OUT-ME」列の構成が入れ替わっている点のみが異なっている。
すなわち、実施例２では、周方向溝「Ａ２」と「Ａ３」に挟まれた「CE」列では、そこに属する全てのブロックが複合ブロック２０とされている。そして、周方向溝「Ａ３」と「Ａ４」に挟まれた「OUT-ME」列では、「横方向溝」で分断されることのないリブ山２００が連続的に延在している。リブ山２００は、実施例１におけるリブ山１００と同様に、横方向溝でブロック区画されることなく、その表面に「波状サイプ」と「溝底にサイプを備えたサイプ付き浅溝」が形成されている。
【００３３】
なお、「IN-ME」列のリブ山１００は、実施例１のリブ山１００と同じものである。
【００３４】
＜実施例３＞
図４は、実施例３に係るタイヤのトレッドパターンを示している。実施例３は、実施例１、２に対して、「CE」列および「OUT-ME」列の両方において、そこに属するブロックの全てが上記「複合ブロック」である点だけが異なっている。
【００３５】
＜他の実施形態＞
実施例１〜３では、周方向溝が４本存在しているが、本発明においては、周方向溝は少なくとも３本存在すればよい。周方向溝が３本の場合、IN-SHとOUT-SHの間に２列のブロックまたはリブが存在するが、その内、タイヤを車両に装着した状態で内側に位置する１組（２本）の周方向溝間に位置するリブ山は、横方向溝でブロック区画されることなく、表面にサイプまたは溝底にサイプを備えたサイプ付き浅溝を形成する。そして、外側の周方向溝間では、そこに属するブロックの全てを上記「複合ブロック」とする。
周方向溝が５本以上の場合は、タイヤを車両に装着した状態で最も内側に位置する１組（２本）の周方向溝間に位置するリブ山を上のように構成し、他の少なくとも１組の周方向溝間領域において、そこに属するブロックの全てを「複合ブロック」とする。
【００３６】
本発明の効果を検証するため、本発明の範疇に属しない比較例１を準備した。比較例１の構成を、図５を参照して以下に説明する。
【００３７】
＜比較例１＞
比較例１は、周方向溝が４本存在するという点では、実施例１〜３と共通するが、以下に説明するような相違が存在する。
４本の周方向溝の全てに関して、隣接する周方向溝間の領域に連続的なリブ山が存在しない。実施例１〜３では、少なくとも「IN-ME」領域に「リブ山１００」が存在していた。「リブ山１００」は、横方向溝でブロック区画されることなく、表面にサイプまたは溝底にサイプを備えたサイプ付き浅溝が形成されたものであるが、そのような「リブ山１００」を接地長の長い「IN-ME」領域に配置することで、ドライ性能およびドライ制動性能を高めていた。
【００３８】
それとは異なり、比較例１では、上記のような連続的なリブ山は、「IN-ME」領域にも、他の領域にも存在しない。
【００３９】
＜評価試験＞
本発明に係る実施例１〜３のタイヤと、その範疇外である比較例１のタイヤを車両に装着して、以下に説明する比較試験を行った。各タイヤのタイヤサイズおよび使用車両は、下の通りである。
タイヤサイズ：２２５／５０ Ｒ １７
使用車両：アウディＡ４  （２０００ｃｃ、ＦＦセダン）
＜スノー性試験＞
車両に各タイヤを装着して、スノー路面を、加速・制動・旋回・レーンチェンジをする走行を実施した。そして、ドライバーによる官能試験により、操縦安定性能を評価した。
比較例１の結果を１００とする指数で評価し、指数が大きいほど、スノー操縦安定性能が優れていることを示す。
＜ドライ性試験＞
車両に各タイヤを装着して、ドライ路面を、加速・制動・旋回・レーンチェンジをする走行を実施した。そして、ドライバーによる官能試験により、操縦安定性能を評価した。
比較例１の結果を１００とする指数で評価し、指数が大きいほど、ドライ操縦安定性能が優れていることを示す。
＜ドライ制動試験＞
車両に各タイヤを装着して、ドライ路面を１００ｋｍ／ｈの速度状態からＡＢＳ制動を開始し、そこから停止するまでの制動距離を測定した。
比較例１の結果を１００とする指数で評価し、指数が大きいほど、ドライ制動性能が優れていることを示す。
【００４０】
＜試験結果＞
0006748413.tif 000002
【００４１】
ドライ性能およびドライ制動性能に着目すると、実施例１〜３の全てにおいて、キャンバー角を考慮したときにタイヤ周方向の接地長が最も長くなる「IN-ME」領域に、「リブ山１００」を配置している。「リブ山１００」は、横方向溝でブロック区画されることなく、表面にサイプまたは溝底にサイプを備えたサイプ付き浅溝を備えたものであるから、リブ山全体の剛性が高い。しかも表面に設けたサイプまたはサイプ付き浅溝によって、グリップ力を高めている。
つまり、接地長の長い「IN-ME」領域に、剛性およびグリップ力の高い「リブ山１００」を設けることで、ドライ路面における高い運動性および制動性を得ている。
反対に、比較例１では、「IN-ME」領域において、横方向溝で分断された独立性の高いブロックが並んでいるが故に、実施例１〜３に比べて、ドライ性能およびドライ制動性能が劣ると考えられる。
【００４２】
なお、実施例１、２では、連続的な「リブ１００、２００」が２列存在する分だけ、「リブ１００」が１列だけの実施例３よりも、ドライ性能およびドライ制動性能が高いと考えられる。
【００４３】
スノー性能に着目すると、実施例３は、「CE」領域および「OUT-ME」領域の２列において、各列に属する全てのブロックを「複合ブロック１０、２０」としている。これに対して、実施例１、２および比較例１では、「複合ブロック」は、「CE」領域または「OUT-ME」領域のいずれか１列のみに配置されており、「複合ブロック」が、実施例３に比べて少ない。したがって、スノー性能が実施例３に比べて劣るものと考えられる。
「複合ブロック」は、前述の通り、スノー性能とドライ性能を高い次元で両立させる効果があり、したがって、「複合ブロック」が比較的少ない実施例１、２においても、その分だけ「複合ブロック」に起因するドライ性能向上の効果は劣ると考えられる。
しかしながら、実施例１、２では、「リブ山１００、２００」が２列存在しており、これによってドライ性能が高められる結果、トータルのドライ性能は、比較例１よりも優れたものとなったと考えられる。
【００４４】
なお、実施例１〜３において、リブ山１００、２００の表面には、「波状サイプ」と「サイプ付き浅溝」の両方が形成されている。しかし、「波状サイプ」および「サイプ付き浅溝」の一方だけを形成した場合であっても、あるいは、「波状サイプ」を「直線状サイプ」に代えた場合であっても、同様の効果が得られると推測される。
【符号の説明】
【００４５】
Ａ１〜Ａ４  周方向溝
Ｂ  横方向溝
１０、２０  複合ブロック
１００、２００  リブ山
【図１】
0006748413.tif 000003
【図２】
0006748413.tif 000004
【図３】
0006748413.tif 000005
【図４】
0006748413.tif 000006
【図５】
0006748413.tif 000007